(57)【要約】【課題】ＩＣタグにかかる圧力を視認できる感圧機能を有するＩＣタグを提供する。【解決手段】ベースフィルム２９の片面にＩＣタグ１の主要部分であるＩＣチップ１５およびアンテナパターン１１等を含むインレット２５と、上紙２１をそれぞれ粘着層２７および２３によって貼り合わせる多層構造よりなるＩＣタグ１において、インレット２５と上紙２１の間に、感圧層４７を設ける。感圧層４７は、発色剤層４１と顕色剤層４３よりなる圧力に応じて発色する圧力測定フィルムである。感圧層４７は、ＩＣタグ１の全面に設けてもよいし、ＩＣタグ１内のＩＣチップ１５周辺の部分にのみ設けてもよい。【選択図】図１
2008146554.tif 000002
【特許請求の範囲】
【請求項１】
ＩＣタグ内に、圧力により発色する層を設けることを特徴とするＩＣタグ。
【請求項２】
前記圧力により発色する層は、感圧機能を有するシート状の層であり、発色剤層と顕色剤層を有することを特徴とする請求項１記載のＩＣタグ。
【請求項３】
前記圧力により発色する層は、ＩＣタグの全面に設けられることを特徴とする請求項１記載のＩＣタグ。
【請求項４】
前記圧力により発色する層は、ＩＣタグ内のＩＣチップおよびその周辺にのみ設けられることを特徴とする請求項１記載のＩＣタグ。
【請求項５】
前記感圧機能を有するフィルムあるいはシートは、発色剤層に発色剤を含むマイクロカプセルが塗布され、顕色剤層には顕色剤が塗布されていることを特徴とする請求項２記載のＩＣタグ。
【請求項６】
感圧機能を持つＩＣタグの製造方法であって、
基材上にインレットを貼り合わせる工程（ａ）と、
前記基材上に貼り合わせたインレット上に感圧機能を有するシートを貼り合わせる工程（ｂ）と、
前記感圧機能を有するシート上に上紙を貼り合わせる工程（ｃ）と、
を有することを特徴とするＩＣタグの製造方法。
【請求項７】
前記感圧機能を有するシートは、圧力により発色することを特徴とする請求項６記載のＩＣタグの製造方法。
【請求項８】
前記基材、前記感圧機能を有するシートおよび前記上紙はロール状のシートであり、前記インレットは、複数のＩＣタグ用インレットを含むロール状のシートであり、前記工程（ｂ）は、ＩＣタグの全面に感圧機能を有するシートを貼り合わせることを特徴とする請求項６記載のＩＣタグの製造方法。
【請求項９】
前記感圧機能を有するシートは、ＩＣタグ内のＩＣチップ寸法より大きい所定の寸法に切断され、前記工程（ｂ）により、ＩＣタグ内のＩＣチップ上およびその周辺に貼り合わせられることを特徴とする請求項６記載のＩＣタグの製造方法。
【発明の詳細な説明】
【技術分野】
【０００１】
本発明は、ＩＣタグに関し、詳しくは、感圧機能を有するＩＣタグおよびその製造方法に関する。
【背景技術】
【０００２】
無線技術の進歩に伴い、無線技術を用いた識別方法であるＲＦＩＤ（Radio Frequency Identification）を利用した商品管理システムが開発され、ＩＣタグやＩＣラベルが使用され始めている。ＩＣタグは、外部のＩＣタグ・ライタとの無線通信により商品等に関する情報が記録され、外部のＩＣタグ・リーダとの無線通信により、ＩＣタグ内に記録されている情報が読み出される。ＩＣタグに記録される情報により、商品の品質管理や在庫管理、販売管理、物流管理等が行うことが可能になる。
【０００３】
ＩＣタグは、基材と、アンテナ回路およびＩＣチップを含むインレット、インレットを保護する封止材等の層構造を成しており、層構造を成すＩＣタグ、ＩＣタグ製造装置や製造方法が提案されている（特許文献１、特許文献２）。
【特許文献１】特開２００２−３４２７２８号公報
【特許文献２】特開２００３−３４６１１５号公報
【発明の開示】
【発明が解決しようとする課題】
【０００４】
しかしながら、ＩＣタグは、ＩＣタグ表面に過大な圧力がかかることでＩＣチップ等が破損し、使用できなくなる場合がある。
このような過大な圧力は通常かけないようにするが、誤って、あるいは、知らないうちに、あるいは、運用上、過大な圧力がかかってしまい、ＩＣタグが使用不能になった場合、かかった圧力の大きさや場所等の故障原因の究明が行えず、故障の解析、運用方法の妥当性の解析をできないという問題があった。
【０００５】
本発明は、このような問題に鑑みてなされたもので、その目的とするところは、ＩＣタグにかかる圧力を視認できる感圧機能を有するＩＣタグを提供することである。
【課題を解決するための手段】
【０００６】
前述した課題を解決するための第１の発明は、ＩＣタグ内に、圧力により発色する層を設けることを特徴とするＩＣタグである。
前記圧力により発色する層は、感圧機能を有するシート状の層であり、発色剤層と顕色剤層を有する。前記圧力により発色する層は、ＩＣタグの全面に設けられるようにしてもよいし、ＩＣタグ内のＩＣチップ周辺にのみ設けられるようにしてもよい。
前記感圧機能を有するフィルムあるいはシートは、発色剤層に発色剤を含むマイクロカプセルが塗布され、顕色剤層には顕色剤が塗布されていることが好ましい。
【０００７】
以上のように、ＩＣタグ内部の全面またはＩＣチップ周辺に感圧機能を有するフィルムを設けることにより、ＩＣタグにかかった圧力分布等を調べることが可能になり、ＩＣタグ故障の原因を究明することが可能になる。
【０００８】
第２の発明は、感圧機能を持つＩＣタグの製造方法であって、基材上にインレットを貼り合わせる工程（ａ）と、前記基材上に貼り合わせたインレット上に感圧機能を有するシートを貼り合わせる工程（ｂ）と、前記感圧機能を有するシート上に上紙を貼り合わせる工程（ｃ）とを有することを特徴とするＩＣタグの製造方法である。
【０００９】
基材、上紙はロール状のシートであり、インレットは、複数のＩＣタグ用インレットを含むロール状のシートであり、感圧機能を有するシートは、ロール状のシートであってもよいし、ＩＣタグ内のＩＣチップより大きい所定の大きさに切断されたシートであってもよい。
ロール状の感圧機能を有するシートの場合には、工程（ｂ）によりＩＣタグの全面に感圧機能を有するシートが貼り合わされる。一方、ＩＣチップより大きい所定の大きさに切断された感圧機能を有するシートの場合には、工程（ｂ）により、ＩＣタグ内のＩＣチップ上およびその周辺に感圧機能を有するシートが貼り合わされる。
【００１０】
本発明によれば、ＩＣタグにかかる圧力を視認できる感圧機能を有するＩＣタグを提供することが可能になる。
【発明を実施するための最良の形態】
【００１１】
以下、図面に基づいて本発明の好適な実施形態について詳細に説明する。
図１は、本発明のＩＣタグ１の構造を説明する図である。図１（ａ）は、ＩＣタグ１の平面図、図１（ｂ）は、ＩＣタグ１をＡ−Ａ方向から見た場合の従来のＩＣタグの断面図、図１（ｃ）、（ｄ）は、ＩＣタグ１をＡ−Ａ方向から見た場合の本発明の実施形態に係る断面図である。
【００１２】
図１（ａ）において、通常、ＩＣタグ１の上部はプラスチックフィルムや紙材等で覆われており、アンテナパターン１１やＩＣチップ１５等は見えないのが普通である。同図では、理解を容易にするため、アンテナパターン１１やＩＣチップ１５を透視した状態のＩＣタグ１を示している。
【００１３】
ＩＣタグ１内部には、アンテナパターン１１およびＩＣチップ１５、接点１３、導通路１７等が形成されている。アンテナパターン１１はコイル状であり、コイルの一端（内側）は接点１３ｂに接続され、他端（外側）は導通路１７を介して接点１３ａに接続されている。
また、ＩＣチップ１５は、無線送受信部と制御部および情報を蓄積するための記憶部を備えている。
【００１４】
上記のアンテナパターン１１、ＩＣチップ１５、接点１３、導通部１７からなるＩＣタグ１の主要部は、インレット２５として事前に製造され、ＩＣタグ１の製造時には、ベースフィルム２９にインレット２５および離型紙３３、上紙２１を貼り合わせることにより、ＩＣタグ１が形成される。
離型紙３１は、ＩＣタグ１使用時に剥がして商品等のＩＣタグ被装着物に粘着層３１によって貼れるようにするためのものである。
【００１５】
図１（ｂ）に沿って、従来のＩＣタグ１の多層構造および製造方法を説明する。
【００１６】
同図に示すように、ＩＣタグ１は多層構造を成し、ＩＣタグの製造工程では、まず、両面に粘着層２７および３１を有するベースフィルム２９の片側の粘着層２７にインレット２５を貼り付け、次に、粘着層３１に離型紙３１を貼り付ける。さらに、粘着層２３を有する上紙２１をインレット２５の上面に貼り付けることにより、従来のＩＣタグ１が形成される。上紙２１は、インレット２５を保護する役割を持つ。
【００１７】
上紙２１によりインレット２５は保護されてはいるが、上紙２１の上部から過大な圧力がかかればＩＣタグ１が破損することもある。多くの場合、ＩＣチップ１５の部分に過大な圧力がかかることにより、ＩＣチップ１５が破損してしまう。特に、接点１３ａと１３ｂに渡るようにＩＣチップ１５が配置されるので、接点１３ａと１３ｂの隙間の部分が破損する場合が見受けられる。
【００１８】
粘着層２３、２７、３１は、それぞれ、両面テープ等で形成することが可能であり、インレット２５や上紙２１、離型紙３３の貼り付け時に両面テープに付いている離型紙を剥がすことにより粘着層２３、２７、３１を露出し、対象物と貼り合わせる。
【００１９】
製造時には、ベースフィルム２９、インレット２５、上紙２１は、例えば７ｃｍ幅のシートであり、ロール状に巻かれている。ロール状に巻かれたインレット２５には複数のＩＣタグ用アンテナ１１やＩＣチップ１５等が形成されている。これらの材料を、上述の順に重ねて貼り合わせることにより、複数のＩＣタグ１を含むロール状の多層シートが製造される。
次に、個々のＩＣタグに切り分けるため、複数のＩＣタグを含む多層シートをマグネットシリンダーにより上紙３１から粘着層３１までハーフカットする。ハーフカット後、ＩＣタグ１以外の部分を除去することにより、複数のＩＣタグ１が離型紙３３に貼りついたロール状シートが製造される。
【００２０】
ここで、ベースフィルム３９は、ＰＥＴ（ポリエチレンテレフタレート）、ＰＥＴ−Ｇ（テレフタル酸−シクロヘキサンジメタノール−エチレングリコール共重合体）。ポリ塩化ビニル、塩化ビニル−酢酸ビニル共重合体、ポリカーボネイト、ポリアミド、ポリイミド、セルロースジアセテナート、セルローストリアセテート、ポリエチレン系、ＡＢＳ、ポリアクリル酸エステル、ポリプロピレン、ポリエチレン、ポリウレタン等である。
【００２１】
次に、図１（ｃ）および図１（ｄ）を用いて、本発明の感圧機能を持つＩＣタグ１の構造について説明する。
【００２２】
ＩＣタグ１の主要部分をなすインレット２５の層にかかる圧力を検知するため、インレット２５の上部に感圧層４７を設ける。
感圧層４７は、発色剤層４１と顕色剤層４３からなる。
発色剤層４１は、基材にマイクロカプセル化されたインキが塗布されたものである。加圧に応じてマイクロカプセルが壊れて中のインキが出る。このインキが顕色剤層４３に塗布された顕色剤と反応し、発色する。
【００２３】
このような圧力に応じて発色する圧力測定フィルム（あるいは紙）は各社からプレスケールとして発売されており、シート状のものや、ロール状のものがある。
ＩＣチップ１５の圧力の補償範囲を考慮して、１０Ｎ〈１Ｎ＝１kgfm/s２)程度の圧力が測定できればよく、測定可能圧力が０．５〜２．５ＭＰａ〈１ＭＰa＝１０．２kgf/cm２〉の超低圧用の圧力測定フィルムを用いればよい。
【００２４】
図１（ｃ）は、ＩＣタグ１の全面に感圧層４７を設けた場合の断面図であり、図１（ｄ）は、ＩＣタグ１内のＩＣチップ１５周辺に感圧層４７を設けた場合の断面図である。
【００２５】
図１（ｃ）のように、ＩＣタグ１の全面に感圧層４７を設ける場合には、例えば７ｃｍ幅のロール状の圧力測定フィルムを用い、これに両面テープによる粘着層４５をまず形成し、その後粘着層４５を露出させて、インレット２５に貼り合わせればよい。
そして、感圧層４７の形成後、粘着層２３を有する上紙２１を発色剤層４１の上から貼り合わせる。
全層を形成した後、マグネットシリンダーにより個々のＩＣタグ１の部分に切り分けるハーフカットを行えばよい。
【００２６】
以上のように、ＩＣタグ１の全面に感圧層４７を設けることにより、ＩＣタグ１上のアンテナパターン１１やＩＣチップ１５、接点１３、導通路１７、その他の部分にかかった圧力を測定することが可能である。
上紙２１が不透明の場合には、上紙２１を除去することにより発色部分が視認可能になる。
また、上紙２１に透明なプラスチックフィルム等を用いれば、上紙２１を除去することなく発色部分を見ることができる。
【００２７】
図１（ｄ）は、ＩＣタグ１のＩＣチップ１５周辺のみに感圧層４７を設ける場合である。
同図では、粘着層２３と粘着層４５が感圧層４７以外の部分で分離しているが、実際には、製造工程で粘着層２３付きの上紙２１を貼り合わせる際に、感圧層４７以外の部分では、粘着層２３と粘着層４５が貼り合わされる。
【００２８】
このように、ＩＣチップ１５周辺にのみ感圧層４７を設ける場合には、適切な大きさに切断した圧力測定フィルムをインレット２５のＩＣチップ１５部分の上に貼り合わせればよい。
【００２９】
以上のように、ＩＣタグ１の層構成内に感圧層４７を設けることにより、ＩＣタグ１にかかる圧力を視認することが可能になり、ＩＣタグ１が機能しなくなった場合や、ＩＣチップ１５が破損した場合に、ＩＣタグ１のどの部分にどの程度の応力が加わったかを確認することが可能になる。
それらのデータは、ＩＣタグ製品の補償範囲の検討や、ＩＣタグの運用方法の検討の材料として活用することが可能である。
【００３０】
尚、本発明は、前述した実施の形態に限定されるものではなく、種々の改変が可能であり、それらも、本発明の技術範囲に含まれる。
【図面の簡単な説明】
【００３１】
【図１】本実施の形態に係るＩＣタグ構造の説明図
【符号の説明】
【００３２】
１………ＩＣタグ
１１………アンテナパターン
１３………接点
１５………ＩＣチップ
２１………上紙
２３、２７、３１、４５……粘着層
２５………インレット
２９………ベースフィルム
３３………離型紙
４１………発色剤層
４３………顕色剤層
４７………感圧層
【図１】
2008146554.tif 000003